(57)【要約】【課題】編集作業に対して設定された時間の延長を禁止することができるようにする。【解決手段】写真シール作成装置に表示される設定画面を用いて、編集時間の延長機能の制限に関する詳細な設定を行うことができるようになされている。例えば、写真シール作成装置が設置されている店舗の閉店時刻が「２３時５０分」として設定され、編集時間の延長機能の制限が「あり」として設定されている場合、「２３時５０分」の５分前などの、閉店時刻から所定の時間だけ前の時刻になったときに、それ以降の落書き時間の延長が禁止される。本発明は、利用者の画像をシール紙に印刷して提供する写真シール作成装置に適用することができる。【選択図】図５
2007148267.tif 000002
【特許請求の範囲】
【請求項１】
撮影作業と、前記撮影作業により得られた画像の編集作業とを利用者に行わせ、前記編集作業により得られた編集済みの画像を印刷したシール紙を提供する写真シール作成装置において、
あらかじめ設定された時間を延長させて前記編集作業を行わせる編集制御手段と、
計時された時刻が、設定された時刻より所定の時間だけ前の時刻以降の時刻であるとき、前記編集制御手段により行われる、前記編集作業に対して設定された時間の延長を禁止させる編集時間管理手段と
を備える写真シール作成装置。
【請求項２】
前記撮影作業を行う撮影空間と、前記編集作業を行う編集空間とがそれぞれ異なる位置に設けられる場合、
前記編集制御手段は、前記撮影空間での前記撮影作業を終え、前記編集空間で前記編集作業を行う第１のユーザに続けて前記撮影空間で前記撮影作業を行う第２のユーザがいないことを条件として、あらかじめ設定された時間を延長させて前記第１のユーザに前記編集作業を行わせる
請求項１に記載の写真シール作成装置。
【請求項３】
撮影作業と、前記撮影作業により得られた画像の編集作業とを利用者に行わせ、前記編集作業により得られた編集済みの画像を印刷したシール紙を提供する、あらかじめ設定された時間を延長させて前記編集作業を行わせる編集制御手段を備える写真シール作成装置の時間管理方法において、
計時された時刻が、設定された時刻より所定の時間だけ前の時刻以降の時刻であるとき、前記編集制御手段により行われる、前記編集作業に対して設定された時間の延長を禁止させるステップを含む
時間管理方法。
【発明の詳細な説明】
【技術分野】
【０００１】
本発明は、特に、編集作業に対して設定された時間の延長を禁止することができるようにした写真シール作成装置および時間管理方法に関する。
【背景技術】
【０００２】
従来より、編集済みの画像が印刷されたシール紙を受け取るまでの一連の作業である撮影作業と編集作業をそれぞれ異なる空間で利用者に行わせるようにした写真シール作成装置がある。この写真シール作成装置を利用したゲームの流れは、撮影空間で撮影を行い、編集空間に移動して、そこで撮影済みの画像に編集を行うものとなる。
【０００３】
このような流れで行われる作業のそれぞれには基本的に制限時間が設定されており、利用者は、撮影作業に対してあらかじめ設定された制限時間の中で撮影作業を行い、また、編集作業に対してあらかじめ設定された制限時間の中で編集作業を行う。これにより、利用者の流れが確保され、装置を利用する利用者の回転率の向上が図られている。
【０００４】
ところで、それぞれの作業に対して割り当てられる制限時間はなるべく長い方が利用者に好まれることから、装置の利用状況などに応じて制限時間を延長させる技術が各種提案されている。
【０００５】
例えば、特許文献１には、撮影空間で撮影作業を終えた第１の利用者が編集空間で編集作業を行うことのできる猶予時間は、第１の利用者に続けて装置を利用する第２の利用者が撮影を開始する時刻や、第２の利用者の撮影作業に対して設定された猶予時間に対応して制限、または延長される技術が開示されている。
【特許文献１】特開２００２−３３０４３０号公報
【発明の開示】
【発明が解決しようとする課題】
【０００６】
しかしながら、上述したような制限時間の延長機能は、利用者にとっては好ましいものであるが、装置を設置するゲームセンタなどの店舗側からすれば問題になることがある。
【０００７】
例えば、特許文献１に開示されているような装置においては、第１の利用者が編集作業を行っている場合、その猶予時間は、撮影を開始する第２の利用者がいなければ無制限に延長されてしまうことになるが、このような延長が店舗の閉店間際に行われた場合、店舗側としては、閉店の準備を進めることができずときとして不快に感じることになる。
【０００８】
本発明はこのような状況に鑑みてなされたものであり、編集作業に対して設定された時間の延長を禁止することができるようにするものである。
【課題を解決するための手段】
【０００９】
本発明の一側面の写真シール作成装置は、撮影作業と、前記撮影作業により得られた画像の編集作業とを利用者に行わせ、前記編集作業により得られた編集済みの画像を印刷したシール紙を提供する写真シール作成装置において、あらかじめ設定された時間を延長させて前記編集作業を行わせる編集制御手段と、計時された時刻が、設定された時刻より所定の時間だけ前の時刻以降の時刻であるとき、前記編集制御手段により行われる、前記編集作業に対して設定された時間の延長を禁止させる編集時間管理手段とを備える。
【００１０】
時間を延長させての編集作業は、例えば、ある利用者が編集作業を行っている場合に、その利用者に続けて装置を利用しようとする人がいないときや、編集作業を行っている利用者があらかじめ設定された追加代金を支払ったときなどのように、所定の条件のときに行われる。
【００１１】
本発明の一側面の写真シール作成装置においては、計時された時刻が、設定された時刻より所定の時間だけ前の時刻以降の時刻であるとき、編集作業に対して設定された時間の延長が禁止される。
【００１２】
これにより、管理者は、所望の時間帯に編集作業に対して設定された時間が延長されてしまうことを防止することができる。管理者は、例えば装置が設置される店舗の閉店時刻の間際に編集作業の時間の延長が禁止されるようにすることで、利用者が編集作業を続けることによって閉店の準備を進めることができなくなるといったことを防止することができる。
【００１３】
前記撮影作業を行う撮影空間と、前記編集作業を行う編集空間とがそれぞれ異なる位置に設けられる場合、前記編集制御手段には、前記撮影空間での前記撮影作業を終え、前記編集空間で前記編集作業を行う第１のユーザに続けて前記撮影空間で前記撮影作業を行う第２のユーザがいないことを条件として、あらかじめ設定された時間を延長させて前記第１のユーザに前記編集作業を行わせることができる。
【００１４】
撮影空間の数と編集空間の数はそれぞれ任意の数とすることができる。
【００１５】
本発明の一側面の時間管理方法は、撮影作業と、前記撮影作業により得られた画像の編集作業とを利用者に行わせ、前記編集作業により得られた編集済みの画像を印刷したシール紙を提供する、あらかじめ設定された時間を延長させて前記編集作業を行わせる編集制御手段を備える写真シール作成装置の時間管理方法において、計時された時刻が、設定された時刻より所定の時間だけ前の時刻以降の時刻であるとき、前記編集制御手段により行われる、前記編集作業に対して設定された時間の延長を禁止させるステップを含む。
【００１６】
本発明の一側面の時間管理方法においては、計時された時刻が、設定された時刻より所定の時間だけ前の時刻以降の時刻であるとき、編集作業に対して設定された時間の延長が禁止される。
【発明の効果】
【００１７】
本発明の一側面によれば、編集作業に対して設定された時間の延長を禁止することができる。
【発明を実施するための最良の形態】
【００１８】
図１は、本発明の一実施形態に係る写真シール作成装置の外観構成例を示す斜視図である。
【００１９】
写真シール作成装置１は、撮影作業や編集作業をゲームとして行わせる代わりに、利用者より代金を受け取るゲーム機であり、ゲームセンタなどの店舗に設置される。
【００２０】
写真シール作成装置１の筐体１０は複数のユニットにより構成される。筐体１０を構成する第１ユニット１１と第２ユニット１２は所定の距離をあけて設置され、第１ユニット１１と第２ユニット１２の間に形成される空間の天井を構成する部材として天井部１３が設けられる。
【００２１】
第１ユニット１１の面のうちの第２ユニット１２に対向する面である正面１１ａにはカメラ３１や撮影画像表示用モニタ３２が設けられる。また、正面１１ａから突出して形成される部材の上面には撮影作業用モニタ３３が設けられ、その表示にしたがって利用者が撮影作業を行うことができるようになされている。すなわち、第１ユニット１１と第２ユニット１２に挟まれる空間が、写真シール作成装置１の利用者（１組の利用者のグループ）が撮影を行う撮影空間となる。
【００２２】
写真シール作成装置１を利用したゲームの一連の流れについては後述するが、利用者は、このようにして第１ユニット１１と第２ユニット１２の間に形成される撮影空間の中で、撮影画像表示用モニタ３２の表示を見ながらカメラ３１に向かって撮影を行う。撮影画像表示用モニタ３２には、カメラ３１により取り込まれている画像であるライブビューや、撮影結果の画像などが表示される。撮影作業用モニタ３３にはタッチパネルが重畳して設けられており、この撮影作業用モニタ３３には、撮影の案内や、撮影の開始を指示するときに操作されるボタンなどの、撮影作業に関する情報が表示される。
【００２３】
図２は、図１の写真シール作成装置１を第１ユニット１１の背面１１ｂ側（正面１１ａの反対側）より見た斜視図である。
【００２４】
図２に示されるように、第１ユニット１１を挟んで、撮影空間が形成される位置の反対の位置には背面１１ｂに接する形で第３ユニット１４が設けられる。
【００２５】
第３ユニット１４を構成する面のうちの地面に対して垂直な面１４ａには照明４４が設けられ、この照明４４により、面１４ａの前方の空間が照射される。第３ユニット１４の斜面１４ｂには、編集用モニタ４１が設けられ、その左右にはタッチペン４２Ａ，４２Ｂが設けられる。面１４ｃにはスピーカ４３Ａ，４３Ｂが設けられる。
【００２６】
撮影空間での撮影を終えたとき、その撮影によって得られた画像に対して利用者は好みの文字や記号を入力するなどの編集を行うことができ、撮影画像の中から利用者によって選択された編集の対象となる画像がこの編集用モニタ４１に表示される。編集用モニタ４１には、編集の対象となる画像の他に、編集に用いる各種のツールを選択するときにタッチペン４２Ａ，４２Ｂによって操作されるボタンなども表示される。このように、第３ユニット１４の面のうちの面１４ａ，１４ｂ，１４ｃの前方が、利用者が画像の編集を行う編集空間となる。
【００２７】
以上のような構成は、第３ユニット１４の面１４ａ，１４ｂ，１４ｃが形成される側の反対側にも設けられている。したがって、写真シール作成装置１には第３ユニット１４を挟んで２つの編集空間が設けられており、撮影作業を終えた２つの利用者のグループが、それぞれの編集空間において時間的に並行して編集作業を行うことができるようになされている。以下、適宜、第３ユニット１４の面１４ａ，１４ｂ，１４ｃの前方にある編集空間を第１編集空間といい、第３ユニット１４を挟んで第１編集空間の反対の位置にある編集空間を第２編集空間という。
【００２８】
なお、第１ユニット１１の背面１１ｂに平行な面である第３ユニット１４の面１４ｄにはシール紙排出口５１が設けられている。このシール紙排出口５１から、編集済みの撮影画像が印刷されたシール紙が排出される。シール紙排出口５１の前方が、編集作業をも終えた利用者がシール紙が印刷されるのを待つ印刷待ち空間となる。
【００２９】
ここで、利用者の流れについて説明する。図３は、写真シール作成装置１を上方から見た平面図であり、矢印が利用者の移動方向を示す。利用者は、画面表示や音声による案内にしたがって矢印に示されるようにして移動することになる。
【００３０】
図３において、アルファベット（Ａ，Ｂ）と数字（１，２）を囲む１つの丸は１人の利用者を表す。利用者A1とA2は写真シール作成装置１を一緒に利用する第１のグループの利用者であり、利用者B1とB2は、第１のグループに続けて写真シール作成装置１を一緒に利用する第２のグループの利用者である。この例においては１つのグループが２人の利用者により構成されているが、これに限定されるものではなく、３人以上でも、写真シール作成装置１を一緒に利用することが可能である。
【００３１】
これから写真シール作成装置１を利用しようとする利用者A1とA2は、矢印＃1に示されるように、まず、撮影空間に入り、撮影作業用モニタ３３に表示される案内などにしたがって所定の金額分の硬貨を硬貨投入口（図示せず）に投入する。硬貨投入口に硬貨を投入したときに一連のゲームが開始され、撮影作業用モニタ３３には撮影作業に関する情報が表示される。
【００３２】
先行して写真シール作成装置１を利用している利用者A1とA2が撮影作業を終えたとき、第１編集空間と第２編集空間のうちのいずれか一方への移動の案内が撮影作業用モニタ３３による画面表示や、スピーカからの音声によって行われるから、撮影を終えた利用者A1とA2はその案内にしたがって撮影空間から編集空間に移動し、そこで編集作業を行う。図３の例においては、第１編集空間への移動が利用者A1とA2に対して案内されており、利用者A1とA2は、その案内にしたがって、矢印＃2に示されるように第１編集空間に移動している。
【００３３】
利用者A1とA2が第１編集空間に移動したとき、それまで撮影空間が空くのを待っていた利用者B1とB2は、矢印＃3に示されるように撮影空間に入り、硬貨を投入してゲームを開始することができる。
【００３４】
利用者B1とB2が撮影作業を終えたとき、そのとき利用者A1とA2により第１編集空間が利用されているときには、利用者B1とB2に対しては第２編集空間への移動が案内される。利用者B1とB2は、その案内にしたがって、矢印＃4に示されるように第２編集空間に移動し、そこで編集作業を行う。
【００３５】
第１編集空間で編集作業を終えた利用者A1とA2は矢印＃5に示されるようにしてシール紙排出口５１の前方の印刷待ち空間に移動し、編集済みの画像が印刷されたシール紙がシール紙排出口５１から排出されるのを待つ。同様に、第２編集空間で編集作業を終えた利用者も矢印＃6に示されるようにしてシール紙排出口５１の前方の印刷待ち空間に移動し、編集済みの画像が印刷されたシール紙がシール紙排出口５１から排出されるのを待つ。
【００３６】
シール紙排出口５１に排出されたシール紙を受け取ることによって一連のゲームが終了される。
【００３７】
以上のような流れによって行われる撮影作業と編集作業には、利用者の流れを確保するために、それぞれ例えば３分などのように制限時間があらかじめ設定されている。
【００３８】
また、撮影作業に設定されている制限時間と編集作業に設定されている制限時間のうち、編集作業に設定されている制限時間は、利用者が編集作業を行っているときの条件によっては延長されるようになされている。
【００３９】
例えば、上述したようにして第１のグループの利用者A1とA2が第１編集空間で編集作業を行い、第２のグループの利用者B1とB2が第２編集空間で編集作業を行っている場合において、利用者B1とB2に続けて写真シール作成装置１を利用しようとする人がいないとき、そのとき編集作業を行っている利用者A1とA2、利用者B1とB2は、次に編集作業を行う人のために編集空間を空ける必要がないから、利用者A1とA2が行っている編集作業に設定された制限時間、利用者B1とB2が行っている編集作業に設定された制限時間は所定の時間だけ延長される。
【００４０】
また、先に編集作業を終え、印刷待ち空間でシール紙の印刷が行われるのを待っている例えば利用者A1とA2がいるため、編集作業を終了させて、第２編集空間から印刷待ち空間に移動したとしても、利用者B1とB2がすぐにシール紙を受け取ることができないような場合、利用者B1とB2が行っている編集作業に設定された制限時間は所定の時間だけ延長される。
【００４１】
通常、一連のゲームを行った利用者に対しては編集済みの画像が印刷された１枚のシール紙が提供されるが、例えば、追加の代金を支払うことによって複数枚のシール紙を印刷することができるような機能が写真シール作成装置１に用意されている場合、印刷に時間がかかり、編集作業を終了させて編集空間から印刷待ち空間に移動したとしても、すぐにシール紙を受け取ることができないといったような状況が起こることになり、このような状況のときに編集作業に設定された時間が延長される。単に、編集作業中に料金を追加して払うことによって時間が延長されるようにしてもよい。
【００４２】
時間の延長などに関する編集作業の制限時間の設定は、写真シール作成装置１が設置される店舗の管理者によって所定の画面を用いて行われる。また、制限時間の延長を禁止させることに関する設定も、所定の画面を用いて行うことができるようになされている。
【００４３】
図４は設定画面の例を示す図である。
【００４４】
図４に示されるような設定画面を用いた各種の設定は、店舗の開店前や閉店後などのように、利用者が写真シール作成装置１を利用していない時間に行われる。例えば、管理者が所定の操作を行ったとき、撮影作業用モニタ３３や編集用モニタ４１にはメンテナンス画面が表示され、続けて所定の操作を行ったとき、画面表示はメンテナンス画面から図４に示されるような設定画面に切り替えられる。
【００４５】
図４に示される設定画面においては、その左上に「制限時間設定」の文字が表示され、管理者が設定画面を用いて行うことができる「コイン設定」、「制限時間設定」、「デモ画面設定」、「日付設定」、「店名スタンプ設定」、「地域設定」、「ゲーム機能設定」のうち、「制限時間設定」が選択されたことが示されている。
【００４６】
設定内容の選択は、画面左端に縦方向に並べて表示される設定内容選択ボタン６１乃至６７を押すことによって行われる。設定内容選択ボタン６１は代金に関する設定である「コイン設定」を選択するときに操作されるボタンであり、設定内容選択ボタン６２は、制限時間に関する設定である「制限時間設定」を選択するときに操作されるボタンである。
【００４７】
また、設定内容選択ボタン６３は、利用者が写真シール作成装置１を利用していないときなどに撮影作業用モニタ３３や編集用モニタ４１に表示されるデモ画面に関する設定である「デモ画面設定」を選択するときに操作されるボタンであり、設定内容選択ボタン６４は、写真シール作成装置１のシステムが管理する日付に関する設定である「日付設定」を選択するときに操作されるボタンである。
【００４８】
設定内容選択ボタン６５は、店名スタンプに関する設定である「店名スタンプ設定」を選択するときに操作されるボタンであり、設定内容選択ボタン６６は、写真シール作成装置１が設置されている地域に関する設定である「地域設定」を選択するときに操作されるボタンであり、設定内容選択ボタン６７は、所定のタイミングで利用者に提供されるゲーム機能に関する設定である「ゲーム機能設定」を選択するときに操作されるボタンである。
【００４９】
設定内容選択ボタン６７の下には、メンテナンス画面に戻るときに操作される戻るボタン６８が表示されている。
【００５０】
このようなボタンからなる設定内容選択ボタン６１乃至６７の右方には、図４に示されるように、上から、表示欄７１乃至７３が表示される。表示欄７３の下には、各種の設定を写真シール作成装置１の出荷時の状態に戻すときに操作されるボタン７４が表示されている。
【００５１】
表示欄７１は、最大の落書き時間（編集作業の最大の制限時間（以下、適宜、「編集」のことを「落書き」ともいう））の設定に関する情報が表示される欄である。図４の例においては、「１０分」が最大の落書き時間として設定されている。管理者は、表示欄７１に表示されているボタン７１Ａ乃至７１Ｄのうちのいずれかを押すことによって、最大の落書き時間として「０分」、「５分」、「１０分」、「１５分」のそれぞれの時間を設定することができる。
【００５２】
例えば、図４に示されるようにして最大の落書き時間が「１０分」として設定されている場合、落書きが開始されてからの時間が１０分を経過するまで、落書き時間の延長が可能とされる。
【００５３】
表示欄７２は、落書き時間の設定に関する情報が表示される欄である。図４の例においては「２１０秒」が落書きの標準の時間（延長された時間を含まない時間）として設定されている。管理者は、表示欄７２に表示されているボタン７２Ａ乃至７２Ｄのうちのいずれかを押すことによって、現在設定されている落書き時間である「２１０秒」に対して、「−１５秒」、「＋１５秒」、「−３０秒」、「＋３０秒」のそれぞれの時間だけ増減させることができる。また、管理者は、ボタン７２Ｅを押すことによって、落書き時間を無制限にすることができる。
【００５４】
表示欄７３は、落書き時間の延長機能の制限に関する情報が表示される欄である。図４の例においては、延長機能の制限が「あり」として設定されており、上述したような条件のときに行われる落書き時間の延長が、詳細設定の内容にしたがって制限（禁止）されるようになされている。
【００５５】
また、表示欄７３には、詳細設定を行うときに操作されるボタン７３Ａが表示されている。
【００５６】
図５は、表示欄７３に表示されているボタン７３Ａが操作されたときに図４の画面に替えて撮影作業用モニタ３３や編集用モニタ４１に表示される画面の例を示す図である。
【００５７】
管理者は、この画面から、落書き時間の延長機能の制限に関する詳細な設定を行うことができる。例えば、写真シール作成装置１が設置される店舗の閉店間際に延長機能がはたらかないように設定することにより、管理者は、店舗の閉店時刻になったにもかかわらずそのとき行われている落書きの時間が延長され、利用者が落書きを続けていることにより閉店の準備を行うことができないといったことを防止することができる。
【００５８】
ボタン７３Ａが操作されたとき、それまで表示欄７１乃至７３が表示されていた位置には、図５に示されるように表示欄８１乃至８３が表示される。表示欄８３の下には、図４の画面に戻るときに操作される戻るボタン８４が表示されている。
【００５９】
表示欄８１は、落書き時間の延長機能の制限のあり／なしに関する情報が表示される欄である。図５の例においては、制限の「あり」が設定されている。管理者は、表示欄８１に表示されているボタン８１Ａを押すことによって制限の「あり」を設定することができ、ボタン８１Ｂを押すことによって制限の「なし」を設定することができる。落書き時間の延長機能の制限の「なし」が設定されているとき、写真シール作成装置１の利用状況によっては、閉店間際になっても落書き時間の延長が行われる。
【００６０】
表示欄８２は、現在の日時に関する情報が表示される欄である。図５の例においては現在の日時は「２００５年１１月４日１４時９分」とされている。
【００６１】
表示欄８３は、閉店時刻に関する情報が表示される欄である。図５の例においては現在の閉店時刻の設定は「２３時５０分」とされている。管理者は、ボタン８３Ａ，８３Ｂを操作することによって閉店時刻のうちの時間を増減させて設定することができ、ボタン８３Ｃ，８３Ｄを操作することによって閉店時刻のうちの分を増減させて設定することができる。
【００６２】
また、現在の閉店時刻の設定の表示の隣には、「設定した時間近くになると落書き時間の延長機能が無効になります。」のメッセージが表示されている。すなわち、この例においては、閉店時刻として管理者が設定した時刻になったときに、それ以降の落書き時間の延長が禁止されるのではなく、例えば、閉店時刻の５分前といったように、閉店時刻として管理者が設定した時刻から所定の時間だけ前の時刻になったときに、それ以降の落書き時間の延長が禁止されるものとされている。
【００６３】
したがって、図５に示されるように閉店時刻が「２３時５０分」として設定されている場合、その５分前の「２３時４５分」になったときに、それ以降の落書き時間の延長が禁止される。
【００６４】
「何分前」の部分を管理者が設定することができるようにしてもよいし、閉店時刻を設定するのではなく、単に、落書き時間の延長機能の禁止が開始される時刻を管理者が設定することができるようにしてもよい。
【００６５】
以上のような画面を用いて設定された内容にしたがって編集作業の時間の延長が行われる。編集作業の時間を管理したりする写真シール作成装置１の処理についてはフローチャートを参照して後述する。
【００６６】
図６は、写真シール作成装置１の内部の構成例を示すブロック図である。上述した構成と同じ構成には同じ符号を付してある。重複する説明については適宜省略する。
【００６７】
写真シール作成装置１の制御装置１０１には、記憶部１０２、撮影部１０３、編集部１０４，１０５、IDタグリーダ/ライタ１０６、プリンタ１０８、ROM(Read Only Memory)１０９、およびRAM(Random Access Memory)１１０が接続される。
【００６８】
制御装置１０１は、ROM１０９に記憶されているプログラムや、記憶部１０２に記憶され、RAM１１０にロードされたプログラムにしたがって各部を制御し、写真シール作成装置１全体の動作を制御する。
【００６９】
記憶部１０２は、ハードディスクやフラッシュメモリ等により構成され、制御装置１０１により実行されるプログラムや一連のゲームで参照される設定情報などを記憶する。撮影作業が行われたとき、後に編集の対象とされる撮影済みの画像のデータなども記憶部１０２には記憶される。
【００７０】
撮影部１０３は、カメラ３１、撮影画像表示用モニタ３２、撮影作業用モニタ３３、照明装置１２１、および音声出力部１２２から構成され、この撮影部１０３により撮影空間における撮影作業が実現される。
【００７１】
カメラ３１は、制御装置１０１による制御にしたがってCMOS(Complementary Metal Oxide Semiconductor)イメージセンサ等の撮像素子により被写体（利用者）の動画像を撮影し、撮影して得られた画像のデータをライブビュー表示用のデータとして制御装置１０１に出力する。
【００７２】
また、カメラ３１は、利用者により撮影が指示されたときに行われる制御装置１０１による制御にしたがって撮影を行い、撮影して得られた画像のデータを、撮影結果の画像データとして制御装置１０１に出力する。撮影作業においては複数回の撮影が繰り返し行われ、このようにしてカメラ３１により撮影された画像の中から選択された所定の枚数の画像が編集対象の画像とされる。
【００７３】
撮影画像表示用モニタ３２はLCDなどにより構成され、制御装置１０１から供給されたライブビュー信号に基づいて、カメラ３１により取り込まれている動画を表示する。
【００７４】
撮影作業用モニタ３３は、制御装置１０１による制御にしたがって、撮影の仕方を案内する画面や、編集対象とする画像の選択画面などを表示させる。
【００７５】
照明装置１２１は、制御装置１０１から供給される照明制御信号にしたがって発光し、カメラ３１による撮影タイミングにあわせて、撮影空間にいる利用者を照射する。
【００７６】
音声出力部１２２は、制御装置１０１から供給される音声信号にしたがって、撮影空間にいる利用者に向けて音声による案内をスピーカから出力させる。
【００７７】
編集部１０４は、編集用モニタ４１、タッチパネル１３１、および音声出力部１３２から構成され、この編集部１０４により第１編集空間における編集作業が実現される。
【００７８】
タッチパネル１３１は編集用モニタ４１に重畳して設けられ、タッチペン４２Ａ，４２Ｂを用いて行われる利用者の操作を検出し、利用者の操作に応じた信号を制御装置１０１に出力する。
【００７９】
音声出力部１３２は、制御装置１０１から供給される音声信号にしたがって、第１編集空間にいる利用者に向けて音声による案内を出力する。
【００８０】
編集部１０５も編集部１０４と同様の構成（編集用モニタ、タッチパネル、音声出力部）を有している。編集部１０５により、第２編集空間における編集作業が実現される。
【００８１】
IDタグリーダ/ライタ１０６は、制御装置１０１による制御にしたがって、シール紙ユニット１０７に貼り付けられているIDタグ１４１に設定情報を書き込んだり、IDタグ１４１に記憶されている設定情報を読み出す。IDタグ１４１からは、例えばIDタグ１４１に記憶されている識別情報なども設定情報として読み出され、制御装置１０１に出力される。制御装置１０１においては、IDタグリーダ/ライタ１０６から通知された識別情報に基づいて、装着されているシール紙ユニット１０７が写真シール作成装置１において使用可能なユニット（純正のユニット）であるか否かが判定され、使用可能なユニットであると判定されたときのみ、その使用が可能とされる。
【００８２】
シール紙ユニット１０７は、写真シール作成装置１に対して着脱可能になっており、IDタグリーダ/ライタ１０６が読み取り可能な所定の位置にはIDタグ１４１が貼り付けられる。シール紙ユニット１０７にはシール紙１４２が装填されている。
【００８３】
プリンタ１０８は、利用者により編集が施されて作成された画像のデータが印刷データとして制御装置１０１から供給されたとき、シール紙ユニット１０７に収納されているシール紙１４２に画像を印刷し、印刷したシール紙１４２をシール紙排出口５１に排出する。
【００８４】
ROM１０９とRAM１１０は、制御装置１０１が実行するプログラムや、制御装置１０１が処理を行う上で必要なデータを記憶する。
【００８５】
図７は、写真シール作成装置１の機能構成例を示すブロック図である。図７に示す機能部のうちの少なくとも一部は、図６の制御装置１０１により所定のプログラムが実行されることによって実現される。
【００８６】
図７に示されるように、写真シール作成装置１においては、設定受付部１５１、編集時間管理部１５２、タイマ１５３、および編集制御部１５４が実現される。
【００８７】
設定受付部１５１は、図４に示される画面に対して管理者により入力される落書き時間に関する設定と、図５に示される画面に対して管理者により入力される落書き時間の延長機能の制限に関する設定を受け付ける。設定受付部１５１は、受け付けた設定の内容を表す情報を編集時間管理部１５２に出力する。
【００８８】
編集時間管理部１５２は、タイマ１５３から供給される時刻情報を参照し、編集制御部１５４により行われる編集の時間を管理する。例えば、編集時間管理部１５２は、編集が開始されてからの時間が標準の制限時間を経過するまで編集制御部１５４に編集を行わせるとともに、落書き時間の延長を許可することが管理者により設定されている場合、写真シール作成装置１の利用状況などに応じて編集制御部１５４に時間を延長して編集を行わせる。
【００８９】
また、編集時間管理部１５２は、延長機能の制限が設定されている場合、タイマ１５３により計時される現在時刻が、閉店時刻として設定された時刻から所定の時間だけ前の時刻になったとき、それ以降の延長機能を禁止するように編集制御部１５４を制御する。
【００９０】
タイマ１５３は、現在時刻を計時し、現在時刻を表す情報を編集時間管理部１５２に出力する。
【００９１】
編集制御部１５４は、編集時間管理部１５２による制御にしたがって、タッチペン４２Ａ，４２Ｂなどを用いて利用者により行われる編集入力を受け付け、利用者による入力に応じて編集対象の画像を編集して編集用モニタ４１の表示に反映させる。編集制御部１５４は、編集作業が終了されたとき、印刷の対象とする編集済みの画像のデータをプリンタ１０８に出力してシール紙１４２への印刷を行わせる。
【００９２】
次に、以上のような構成を有する写真シール作成装置１の動作についてフローチャートを参照して説明する。
【００９３】
はじめに、図８のフローチャートを参照して、写真シール作成装置１の設定受付処理について説明する。
【００９４】
この処理は、写真シール作成装置１の管理者により所定の操作が行われ、図４、図５に示される画面が表示されているときに行われる。
【００９５】
ステップＳ１において、設定受付部１５１（制御装置１０１）は、図４に示される画面を用いて行われる落書き時間に関する設定と、図５に示される画面を用いて行われる落書き時間の延長機能の制限に関する設定を受け付け、受け付けた設定の内容を表す情報を編集時間管理部１５２に出力する。
【００９６】
以上の処理により、落書き時間の延長機能の制限などが設定される。
【００９７】
次に、図９のフローチャートを参照して、写真シール作成装置１の一連のゲーム処理（利用者にゲームを行わせる処理）について説明する。図９の各ステップの処理は、そのときの写真シール作成装置１の利用状況に応じて適宜並行して行われる。
【００９８】
ステップＳ１１において、制御装置１０１は撮影部１０３の各部を制御し、撮影準備処理を行う。ここでは、撮影に関する各種の設定情報が記憶部１０２から読み出されたりする。
【００９９】
撮影準備処理が終了したとき、ステップＳ１２に進み、制御装置１０１は撮影空間にいる利用者を対象とした撮影処理を行う。撮影が所定の回数だけ繰り返し行われ、撮影処理が終了したとき、ステップＳ１３に進み、制御装置１０１は編集空間（第１、または第２編集空間）への移動を案内する画面を撮影画像表示用モニタ３２に表示させたり、音声出力部１２２を制御して、編集空間への移動を案内する音声を出力させたりして、撮影作業を終えた利用者に対する移動案内処理を行う。
【０１００】
ステップＳ１４において、制御装置１０１は編集部１０４，１０５の各部を制御し、編集準備処理を行う。ここでは、撮影処理のときに、編集対象にするものとして利用者により選択され、記憶部１０２に保存されていた画像の読み出しなどが行われる。
【０１０１】
編集準備処理が終了したとき、ステップＳ１５に進み、制御装置１０１は編集空間にいる利用者を対象とした編集処理を行う。ここで行われる編集処理により、撮影により得られた画像の編集が行われ、編集済みの画像が得られる。編集処理の詳細については図１０のフローチャートを参照して後に詳述する。
【０１０２】
編集処理が終了したとき、ステップＳ１６に進み、制御装置１０１は印刷待ち空間への移動を案内する画面を編集用モニタに表示させたり、移動を案内する音声をスピーカから出力させたりして編集作業を終えた利用者に対する移動案内処理を行う。
【０１０３】
ステップＳ１７において、制御装置１０１は印刷準備処理を行う。ここでは、編集済みの画像が読み出されて印刷データが生成され、それがプリンタ１０８に出力される。印刷準備処理が終了したとき、ステップＳ１８に進み、制御装置１０１はプリンタ１０８に印刷を行わせる。
【０１０４】
印刷が終了したとき、ステップＳ１９において、制御装置１０１は印刷済みのシール紙をシール紙排出口５１から排出させ、一連の処理を終了させる。
【０１０５】
次に、図１０のフローチャートを参照して、図９のステップＳ１５において行われる編集処理について説明する。なお、ここでは、第１編集空間での編集作業を実現する処理について説明するが、第２編集空間での編集作業も同様の処理によって実現される。
【０１０６】
ステップＳ２１において、編集制御部１５４は、編集画面を編集用モニタ４１に表示させる。
【０１０７】
図１１は、編集画面の例を示す図である。
【０１０８】
図１１に示される編集画面１６１には、同じグループの２人の利用者が同時に編集作業を行うことができるように、２つの編集画面（編集領域）が用意される。すなわち、編集画面１６１には、編集作業の残り時間を表す残時間表示部１６２や、「編集した画像を選んで、ペン、スタンプ、フレームなどを使って落書きしてください。」等の編集作業の進め方を説明するメッセージの他に、各利用者に対する編集画面１６３と１６４が表示される。
【０１０９】
編集画面１６３には、利用者により選択された編集対象の画像が表示される編集対象画像表示部１７１、編集対象の画像の候補となる画像がサムネイル表示されるサムネイル画像表示部１７２、および、ペン、スタンプ、およびフレーム等の各種の編集ツールを選択するときに操作されるボタンが並べて表示されるパレット１７３が表示される。
【０１１０】
利用者は、サムネイル画像表示部１７２に表示される画像の中から編集対象とする画像（編集対象画像表示部１７１に表示させる画像）を選択し、パレット１７３にボタンが表示されるものの中から選択した編集ツールを用いて編集対象の画像を編集することができる。
【０１１１】
一方、編集画面１６４にも、編集画面１６３と同様に、編集対象の画像が表示される編集対象画像表示部１８１、編集対象の画像の候補となる画像がサムネイル表示されるサムネイル画像表示部１８２、および、各種の編集ツールを選択するときに操作されるボタンが並べて表示されるパレット１８３が表示される。
【０１１２】
利用者は、このような編集画面１６１に対して、タッチペン４２Ａ，４２Ｂを用いて、撮影作業により得られた画像に対する編集操作を行う。
【０１１３】
図１０の説明に戻り、ステップＳ２２において、編集制御部１５４は、編集時間管理部１５２による制御にしたがって、タッチペン４２Ａ，４２Ｂなどを用いて利用者により行われる編集入力を受け付け、利用者による入力に応じて編集対象の画像の編集を行う。
【０１１４】
ステップＳ２３において、編集時間管理部１５２は、編集作業が開始されてからの時間が、あらかじめ管理者によって設定された標準の制限時間を経過したか否かを判定する。上述したように、管理者は、図４の設定画面において編集作業の標準の制限時間を設定することができる。
【０１１５】
編集時間管理部１５２は、ステップＳ２３において、編集作業が開始されてからの時間が標準の制限時間を経過していない、すなわち、制限時間までの残り時間がまだあると判定した場合、ステップＳ２４に進み、編集の終了が指示されたか否かを判定する。例えば、編集画面には、制限時間の経過前に編集作業を終えるときに操作される終了ボタンも用意される。
【０１１６】
ステップＳ２４において、終了ボタンが押されていないことから、編集の終了が指示されていないと判定した場合、編集時間管理部１５２は、ステップＳ２２に戻り、編集制御部１５４を制御して、利用者による編集入力の受け付けを続行させる。
【０１１７】
一方、ステップＳ２３において、編集時間管理部１５２は、編集作業が開始されてからの時間が標準の制限時間を経過した、すなわち、残り時間が０になったと判定した場合、ステップＳ２５に進み、編集が開始されてからの時間が、管理者によりあらかじめ設定された最大の編集時間を経過したか否かを判定する。上述したように、管理者は、図４の設定画面において、編集作業の最大の制限時間を設定することができる。
【０１１８】
ステップＳ２５において、編集が開始されてからの時間が最大の編集時間を経過していないと判定した場合、編集時間管理部１５２は、ステップＳ２６に進み、撮影部１０３による処理の状況を確認して、次の利用者のグループ（いま編集作業を行っている利用者のグループに続けて写真シール作成装置１の利用を開始した利用者のグループ）により撮影が開始されているか否かを判定する。
【０１１９】
ステップＳ２６において、編集時間管理部１５２は、次の利用者のグループにより撮影が開始されていないと判定した場合、ステップＳ２７に進み、タイマ１５３から供給される現在時刻の情報を参照し、計時された時刻が、編集時間の延長が禁止される時刻であるか否かを判定する。上述したように、例えば、計時された時刻が管理者により閉店時刻として設定された時刻から所定の時間だけ前の時刻以降の時刻であるとき、編集時間の延長が禁止される。
【０１２０】
ステップＳ２７において、編集時間管理部１５２は、タイマ１５３により計時された時刻が編集時間の延長が禁止される時刻ではないと判定した場合、ステップＳ２２に戻り、以上の処理を繰り返して実行し、編集制御部１５４に編集作業を延長して続けさせる。
【０１２１】
一方、ステップＳ２７において、編集時間管理部１５２は、タイマ１５３により計時された時刻が編集時間の延長が禁止される時刻であると判定した場合、ステップＳ２８に進み、編集制御部１５４を制御して編集時間の延長を禁止させる。このとき、図１２に示されるように、「閉店時間となりました。編集を終了いたします。」などのような利用者に対するメッセージが編集画面に表示されるようにしてもよい。
【０１２２】
編集時間の延長が禁止されたため、編集作業を終了させたとき、編集制御部１５４は、ステップＳ２９において事後処理を行う。また、終了ボタンが押されたことから、ステップＳ２４において編集の終了が指示されたと判定された場合、ステップＳ２５において、編集が開始されてからの時間が管理者によりあらかじめ設定された最大の編集時間を経過したと判定された場合、または、ステップＳ２６において次の利用者のグループにより撮影が開始されていると判定された場合も同様に、処理はステップＳ２９に進み、事後処理が行われる。
【０１２３】
ここでは、例えば、編集済みの画像の中からシール紙１４２に印刷する画像を利用者に選択させる処理や、選択された画像の印刷レイアウトを利用者に選択させる処理が事後処理として行われる。事後処理が終了されたとき、処理は図９のステップＳ１５に戻り、それ以降の処理が行われる。
【０１２４】
以上の処理により、写真シール作成装置１の管理者は、所望の時刻以降に編集時間の延長機能がはたらくことを防止することができる。
【０１２５】
なお、制限時間の延長を禁止する以上の処理は、１日の基準を例えば午前６時とし（１日を６時から次の６時までとし）、管理者により設定された閉店時刻から６時までの間は、制限時間の延長を禁止するか否かの判断が編集処理の開始前に行われるようにしてもよい。これは、閉店時刻を基準とした場合、閉店時刻をまたぐような時間に写真シール作成装置１の電源の電断再起動が発生したときには再起動後の次のゲーム起動時に編集時間の延長機能がはたらく状態になってしまうことがあるため、そのような状態になることを防止することを目的として行われるものである。
【０１２６】
したがって、図４、図５に示されるような状態の設定が行われている場合、６時から、閉店時刻の５分前の２３時４５分までの間は、通常の運用（設定に応じて編集時間の延長、制限が行われる運用）で写真シール作成装置１は稼動し、２３時４５分から６時までの間は、編集時間の延長が禁止された運用で写真シール作成装置１は稼動することになる。
【０１２７】
また、上述した各ステップの処理は、記載された順序に沿って時系列的に行われる処理はもちろん、必ずしも時系列的に処理されなくとも、並列的あるいは個別に実行される処理をも含むものである。
【図面の簡単な説明】
【０１２８】
【図１】本発明の一実施形態に係る写真シール作成装置の外観構成例を示す斜視図である。
【図２】本発明の一実施形態に係る写真シール作成装置の外観構成例を示す他の斜視図である。
【図３】利用者の流れについて説明する図である。
【図４】設定画面の例を示す図である。
【図５】設定画面の他の例を示す図である。
【図６】写真シール作成装置の内部の構成例を示すブロック図である。
【図７】写真シール作成装置の機能構成例を示すブロック図である。
【図８】写真シール作成装置の設定受付処理について説明するフローチャートである。
【図９】写真シール作成装置の一連のゲーム処理について説明するフローチャートである。
【図１０】図９のステップＳ１５において行われる編集処理について説明するフローチャートである。
【図１１】編集画面の例を示す図である。
【図１２】編集画面の他の例を示す図である。
【符号の説明】
【０１２９】
１  写真シール作成装置
１０  筐体
１１  第１ユニット
１２  第２ユニット
１４  第３ユニット
１０１  制御装置
１５１  設定受付部
１５２  編集時間管理部
１５３  タイマ
１５４  編集制御部
【図１】
2007148267.tif 000003
【図２】
2007148267.tif 000004
【図３】
2007148267.tif 000005
【図４】
2007148267.tif 000006
【図５】
2007148267.tif 000007
【図６】
2007148267.tif 000008
【図７】
2007148267.tif 000009
【図８】
2007148267.tif 000010
【図９】
2007148267.tif 000011
【図１０】
2007148267.tif 000012
【図１１】
2007148267.tif 000013
【図１２】
2007148267.tif 000014